Podtech/llm-jp-corpus-v4-ja_patent huggingface dataset:
(57)【要約】【課題】床掃除具で部屋を掃除する際、使用済のシートを取り替える度に、取り替え用シートパックやゴミ箱を置いている場所まで移動する必要があり、面倒であった。【解決手段】市販の床掃除具の柄の部分に取り付け可能な、取り替え用シートパックを保持する為のシートパック用トレイと、使用済のシートを一時入れておく為のごみ入れを一組としたことを特徴とする床掃除具用取り付け具【選択図】図１
2014042628.tif 000002
【特許請求の範囲】
【請求項１】
市販の床掃除具の柄の部分に取り付け可能な、取り替え用シートパックを保持する為のシートパック用トレイと、使用済のシートを一時入れておく為のごみ入れを一組としたことを特徴とする床掃除具用取り付け具。
【発明の詳細な説明】
【技術分野】
【０００１】
本発明は、床掃除具の取り替え用シートパックとごみ入れの取り付け具に関するものである。
【背景技術】
【０００２】
従来、床掃除具で部屋を掃除する際、使用済のシートを取り替える度に、シートパックやごみ箱を置いている場所まで移動していた。
【発明の概要】
【発明が解決しようとする課題】
【０００３】
床掃除具で部屋を掃除する際、使用済のシートを取り替える度に、シートパックやごみ箱を置いている場所まで移動する必要があり、面倒であった。
【課題を解決するための手段】
【０００４】
上記問題を解決する為、本発明は、市販の床掃除具の柄の部分に、市販の取り替え用シートパックを保持する為のトレイと、使用済みのシートを一時入れておく為のごみ入れを取り付ける。
以上の構成よりなる床掃除具用取り付け具である。
【発明の効果】
【０００５】
床掃除具で部屋を掃除する際、取り替え用シートパックやごみ箱を置いている場所まで移動しなくても、掃除をしているその場所で使用済みシートの取り替えができるので楽になる。
【図面の簡単な説明】
【０００６】
【図１】本発明のシートパック用トレイの斜視図
【図２】本発明のごみ入れの斜視図
【図３】ごみ入れ開閉カバー勘合部の断面図
【図４】取り替え用シートパックの斜視図
【発明を実施するための形態】
【０００７】
以下、本発明の実施の形態を説明する。
（イ）基本部を樹脂で成形したシートパック用トレイ（1）とごみ入れ（2）を、市販の床掃除具の柄を挟み込むように取り付ける。締結構造は、ねじ（5）をシートパック用トレイ（1）のボス（7）に貫通させ、ごみ入れ（2）に埋め込まれたナット（6）に締め付ける。
（ロ）シートパック用トレイ（1）とごみ入れ（2）の床掃除具の柄に取り付く部分は、それぞれトンネル（3）が形成されており、その内側にブッシュ（4）を設ける。このブッシュ（4）は市販の掃除具の異なる柄の直径を圧縮して吸収するような素材、形状とする。
（ハ）シートパック用トレイ（1）の四隅にはバンド取り付け部（9）を形成し、ここに市販の取り替え用シートパック（15）を押さえ付ける為の伸縮バンド（8）を2本設ける。両伸縮バンド（8）は市販の取り替え用シートパック（15）のシート取り出し口を避けるように配置する。又、シートパック横ずれ防止のストッパ（10）を形成する。
（ニ）ごみ入れ（2）の前後には、使用済みのシートを入れる為の菊割れフタ（11）を設ける。両側には使用済みのシーを取り出すための開閉カバー（12）を形成する。一方の開閉カバー（12）の縁には爪（13）を成形し、もう一方の開閉カバー（12）の縁には引っ掛け（14）を成形し、開閉カバー（12）を閉じている状態ではお互いが勘合する構造になっている。
本発明は以上のような構造である。
【実施例】
【０００８】
本発明を使用するときは、市販の取り替え用シートパック（15）をシートパックトレイ（1）の伸縮バンド（8）にくぐらせ取り付ける。
取り替え用シートパックから一枚のシートを取り出し、床掃除具のヘッドに巻き込み、掃除をする。
掃除をした後、使用済のシートを床掃除具のヘッドからはずし、ごみ入れ（2）に菊割れフタ（11）を通して入れる。
上記を何度か繰り返し、掃除が終わったら、ごみ入れ（2）の開閉カバー（12）を開き、使用済のシートを取り出し、部屋のごみ箱に捨てる。
【符号の説明】
【０００９】
1 シートパック用トレイ、2 ごみ入れ、3 トンネル、4 ブッシュ、5 ねじ、6 ナット、7 ボス、8 伸縮バンド、9 バンド取付部、10 ストッパ、11 菊割れフタ、12 開閉カバー、13 爪、14 引っ掛け、15 取り替え用シートパック
【図１】
2014042628.tif 000003
【図２】
2014042628.tif 000004
【図３】
2014042628.tif 000005
【図４】
2014042628.tif 000006
(57)【要約】【課題】  これまで、歩行者が駅のホームから線路上に転落する事故が多く、ホームから転落するのを防止する事を目的とする。【解決手段】  本発明は、駅のホーム天井１に電動昇降機２を固定して、回転シャフト４からプーりー３に回転を伝えて、ワイヤーロープ５に吊るした横長の遮断バー６を上下可動する様にして、列車がホームに居ない時は、遮断バー６を下げて置き、歩行者が線路上に転落する事を防止する。【選択図】図１
2014084086.tif 000002
【特許請求の範囲】
【請求項１】
駅ホームの天井に電動昇降機を固定して、連動回転するプーリーからワイヤーロープで吊るした、遮断バーを上下に可動する様に設置して、ホームに列車が、居ない時は遮断バーを下げて置く事によって、歩行者がホームから線路上に転落するのを防止する事を目的とする装置。
【発明の詳細な説明】
【技術分野】
【０００１】駅のホームから線路上に歩行者が転落する故事を防止する為の装置に関する技術。
【発明の概要】
【課題を解決するための手段】
【０００２】本発明は、駅ホームの白線７上に、ホームの天井１に電動昇降機２を設置して、動力を回転シャフト４に伝え、プーリー３からワイヤーロープ５で遮断バー６を吊るし、遮断バー６が上下に可動する様にして、列車がホーム内に入って居ない時遮断バー６を下げて置き、歩行者が、ホームから線路上に転落するのを防止する。【０００３】列車がホーム内に入った時は遮断バーを上げて、乗客が乗り降りし、列車が発車してホームに居ない時は、遮断バーを下げて、歩行者が転落しない様にする。
【発明の効果】
【０００４】ホームからの転落を防止すると同時に、列車が発車走行時に、歩行者が誤って列車に接触しない様にする安全面でも効果的である。
【図面の簡単な説明】
【０００５】
【図１】ホームの白線７の上に、ホームの天井１に固定した電動昇降機２の回転を、回転シャフト４に伝えて、プーリー３で、ワイヤーロープ５を巻き上げ・下げを行い遮断バー６を上下動作させる。
【符号の説明】
【０００６】１…ホーム天井        ２…電動昇降機    ３…プーリー    ４…回転シャフト
５…ワイヤーロープ    ６…遮断バー      ７…ホーム白線
【図１】
2014084086.tif 000003
(57)【要約】【課題】  自転車使用時に、雨天時は傘をさして乗車するけど足下は濡れてしまい、又冬期足下が直接風が当たるので寒い、そして女性のスカート乗車時スカート前方のめくれ、など不快な思いをしている。【解決手段】  自転車のハンドルに本体１をハンドル固定具２で取り付け必要な時にスクリーン４を引き出しフック付補助具５を前輪軸に取り付けた止め具６に固定することにより、足下の雨除け汚れ防止・風除け・そして女性のスカート乗車時の前方のめくれを気にしないで乗車出来るなどに効果がある。【選択図】図１
2014084089.tif 000002
【特許請求の範囲】
【請求項１】
自転車のハンドルに取り付けて、雨除け・風除けそして女性のスカート乗車時めくれ等に対応し、必要時に引き出して使用し、不要時は収納する。
【発明の詳細な説明】
【技術分野】
【０００１】  本発明は、自転車のハンドルに取り付けて必要な時に（雨除け、風除け目隠し等）引っ張り出して使用するものである。
【背景技術】
【０００２】  現在雨天時傘をさして乗っているが足下が濡れて、汚れ困っている、この用具により雨除け、そして風除け、又女性のスカート乗車時の目隠し等活用出来る。
【発明の概要】
【発明が解決しようとする課題】
【０００３】  自転車乗車時に足下の雨濡れ、汚れ、寒さ対策、そして女性のスカート乗車時におけるめくれ等対応出来る物が無かった。
【課題を解決するための手段】
【０００４】  自転車のハンドルに取り付けて、雨除け・風除けそして女性のスカート乗車時めくれ等に対応し、必要時に引き出して使用、不要時は収納する。
【発明の効果】
【０００５】  雨天時、足下の濡れ、汚れを気にしないでよく、寒さ対策そして女性のスカート乗車時にめくれを気にしないで乗れる。
以下、本発明の実施の形態について説明する。
イ  自転車のハンドルに固定具で取り付ける。
ロ  前輪タイヤの中心軸に付属品の止め具を取り付ける。
【実施例１】
【０００６】  １  本体（巻き込み式）
本体内に巻き込めるようにする
２  ハンドル固定具
ハンドルの形状により固定具が移動できる、又不使用時はスクリーンのフックを固      定出来るようにする
３  巻き込みボタン
スクリーン収納時巻き込みボタンを押して収納する。
４  スクリーン
素地は薄い布地とし、撥水加工した物使用。
５  フック付補助材
布地だけだとヒラヒラするので芯として入れ固定用としてフックを付ける
６  止め具
スクリーンを使用時引き出して固定するためのフックの止め具です。
【図面の簡単な説明】
【０００７】
【図１】  本発明の使用状況を示す図面である。
【図２】  本発明の構製品を示す図面である。
【符号の説明】
【０００８】  １  サイクル・カーテン本体
２  ハンドル固定具
３  巻き込みボタン
４  スクリーン
５  フック付補助材
６  止め具
【図１】
2014084089.tif 000003
【図２】
2014084089.tif 000004
(57)【要約】【課題】座席シート等にボトルホルダーを装着すると缶、ペットボトルしか置けず、空間の無駄があったが、ぬいぐるみボトルホルダーに開閉テーブル付き小物入れを設けて、空間の有効利用できる。【解決手段】ぬいぐるみ本体▲１▼にボトルホルダー▲２▼を設け、ティッシュボックスケース▲６▼に開閉テーブルを設けた小物入れテーブル付きぬいぐるみボトルホルダーを特徴とする。【選択図】図１
2014084173.tif 000002
【特許請求の範囲】
【請求項１】
ぬいぐるみ本体▲１▼上部にボトルホルダー▲２▼を設け、小物入れポケット▲３▼とＳ字フック付き心棒▲５▼を設けたぬいぐるみボトルホルダーである。
【請求項２】
ティッシュボックスケース▲６▼に開閉テーブル▲７▼を設け、ぬいぐるみ本体▲１▼に吊るす紐▲１２▼を設けた開閉テーブル付きティッシュボックスケースである。
【発明の詳細な説明】
【技術分野】
【０００１】  この発明は、車両のシート等に取り付けて使用する小物入れテーブル付きぬいぐるみのボトルホルダーに関するものである。
【背景技術】
【０００２】  従来の車両用ボトルホルダーはシートにボトルホルダーを取り付ける事でペットボトル、缶の飲料水が置けるようになっていた。
【発明の概要】
【発明が解決しようとする課題】
【０００３】  これは、次のような欠点があった。
（イ）従来、座席シートにボトルホルダーを取り付けた場合、缶、ペットボトルしか置けなかった。
（ロ）また、ティッシュホルダーを取り付けた場合、ペットボトル等が置けず、空間が無駄になっていた。
本発明は、以上のような欠点をなくすためになされたものである。
【課題を解決するための手段】
【０００４】  （イ）以上の課題を解決するために、ぬいぐるみ（１）にポケット（２）を設けたことを特徴とするボトルホルダーである。
（ロ）また、ケース（６）に開閉する板（７）を取り付けテーブルを設けたことを特徴とするティッシュボックスケースである。
【発明の効果】
【０００５】  以上の発明によれば、ボトルホルダーとテーブル付きティッシュボックスを一体化することにより空間の有効利用ができる。
【図面の簡単な説明】
【０００６】
【図１】  本発明の斜視図である。
【図２】  本発明の背面図である。
【図３】  本発明の分解斜視図である。
【図４】  本発明の分解斜視図である。
【図５】  本発明の分解斜視図である。
【発明を実施するための形態】
【０００７】  以下、本発明を実施するための形態について説明する。
ぬいぐるみ本体▲１▼の上部にボトルホルダー▲２▼を設けている。
ぬいぐるみ本体▲１▼に小物を入れるポケット▲３▼を設けていて小物を入れると伸縮する生で出来た頬▲４▼が膨らむ演出を設けている。
ぬいぐるみ本体▲１▼にティッシュボックスケース▲６▼を吊るすＳ字フック付き心棒▲５▼を設ける。ぬいぐるみ本体▲１▼背面には、座席シート等に装着するための紐▲１３▼を設ける。
ティッシュボックスケース▲６▼に開閉するテーブル▲７▼を設ける。ティッシュボックスケース▲６▼には支柱▲１１▼が設けているのでテーブル▲７▼が固定できる。
テーブル▲７▼は表面に布を貼り付けてあるので滑り止めの効果がある。
ティッシュボックスケース▲６▼にティッシュ取り出し口を設ける。
ぬいぐるみの手のボトルホルダー▲９▼の底にマジックテープ▲１０▼を貼り付けているのでテーブルに固定して使用できる。
ボトルホルダー▲９▼を使用しない時はぬいぐるみ本体▲１▼の心棒▲５▼にＳ字フックを設けているのでボトルホルダー▲９▼を吊るすことができる。
ティッシュボックスケース▲６▼にぬいぐるみ本体▲１▼に吊るす紐▲１２▼を設ける。
【符号の説明】
【０００８】１    ぬいぐるみ本体
２    ボトルホルダー
３    小物入れポケット
４    頬
５    Ｓ字フック付き心棒
６    ティッシュボックスケース
７    開閉テーブル
８    ティッシュ取り出し口
９    ぬいぐるみの手ボトルホルダー
１１  支柱
１２  紐
１３  紐
【図１】
2014084173.tif 000003
【図２】
2014084173.tif 000004
【図３】
2014084173.tif 000005
【図４】
2014084173.tif 000006
【図５】
2014084173.tif 000007
(57)【要約】      （修正有）【課題】持ち歩く鞄等に入れても邪魔にならない大きさの防寒衣類を提供する。【解決手段】気密性の高い素材を溶着し、密閉空間をつくり、気密性の高いフタや弁を用いた空気給排気口を設け、空気給排気口より空気を入れて、空気層の断熱効果から保温性を得る。また、使用しない時は、空気給排気口から空気を抜き、折りたたむことが出来る。空気給排気口、衣類として着用する為の付属品を除き、裏側と表側のシートのみの構成になり、充填物は中に入っていない。気密性の高い素材の中に空気を溜め、空気自体の層が断熱層となる。以上の構成よりなる空気給排気式防寒衣類。【選択図】図４
2014084550.tif 000002
【特許請求の範囲】
【請求項１】
２枚以上の折りたたみが出来る柔軟性のある気密性の高い素材を用いて、溶着により張り合わせ密閉空間をつくり、空気給排気口を設け、使用時に空気を注入することにより、空気層を作る為の充填物を使用しないで、空気層の断熱効果による保温性を利用した、防寒衣類。
【請求項２】
表面に複数の円形の溶着をし、膨張をおさえた、請求項１の防寒衣類。
【発明の詳細な説明】
【技術分野】
【０００１】
本発明は、気密性の高い素材を用いて密閉空間をつくり、使用しない時はコンパクトに折りたため、使用時に空気給排気口から空気を入れ、空気層の断熱効果から保温性を得る防寒衣類に関するものである。
【背景技術】
【０００２】
従来、防寒衣類は中綿を用いて、中綿が形成する隙間に空気を溜め、断熱効果から保温性を得たものや、スポンジ等の空気層のある素材を中に入れるか接着し、保温性を得たもの、金属等の断熱効果の高い素材を中に入れ、保温効果を得たものだった。
中に充填物を入れることで厚みができ、体積が大きくなってしまい、外出時の手荷物が、かさ張って邪魔になっていた。
【先行技術文献】
【特許文献】
【０００３】
【特許文献１】特許公開２００４−３３８１６９
【特許文献２】特許公開２００１−１０５７１０
【特許文献３】特許公開平１１−２９９５８４
【発明の概要】
【発明が解決しようとする課題】
【０００４】
外出時の急な気候の変化による気温の低下に対する防寒対策は、手荷物が増えてしまい邪魔になってしまう。持ち歩く鞄等に入れても邪魔にならない大きさの防寒衣類は存在しなかった。
本発明は、以上の問題点を解決する為になされたものである。
【課題を解決するための手段】
【０００５】
気密性の高い素材を溶着し、密閉空間をつくり、気密性の高いフタや弁を用いた空気給排気口を設け、空気給排気口より空気を入れて、空気層の断熱効果から保温性を得る。また、使用しない時は、空気給排気口から空気を抜き、折りたたむことが出来る。
空気給排気口、衣類として着用する為の付属品を除き、裏側と表側のシートのみの構成になり、充填物は中に入っていない。
気密性の高い素材の中に空気を溜め、空気自体の層が断熱層となる。
以上の構成よりなる防寒衣類。
【発明の効果】
【０００６】
従来、急な気候の変化による気温の低下が起こりうる外出時に、手荷物になっていた防寒衣類を小さく折りたため携帯し、持ち歩くことが出来る。
本発明は、外出時の災害時の寒さ対策として、災害予防としても使用できる。
【図面の簡単な説明】
【０００７】
【図１】本発明の裁断平面図
【図２】本発明の使用前を示す斜視図
【図３】本発明の使用方法を示す斜視図
【図４】本発明の使用状態を示す斜視図
【発明を実施するための形態】
【０００８】
以下、本発明の実施の形態を説明する。
（イ）2枚の気密性の高い素材、シート裏（１）とシート表（２）を用いて、シート表（２）の給排気口取付穴（４）の裏から、空気給排気口（３）を通し溶着にて取り付ける。
（ロ）シート裏（１）とシート表（２）を重ね合わせ、シート裏（１）とシート表（２）の外周溶着位置（５）と、シート裏（１）とシート表（２）の複数の円形溶着位置（６）を溶着する。
（ハ）溶着したシート裏（１）とシート表（２）を縦に折り返し、側面接続用溶着シロ（７）を左右ともに溶着し衣類としての形成をする。
（二）着用時に使用する複数のスナップボタン（８）を取り付ける。
（ホ）背面の空気給排気口（３）より空気を入れる。
（へ）溶着部分の円形溶着位置（６）が窪みになり、表面に凹凸が設けられ、膨張を抑え、防寒衣類としての形成をする。
本発明は以上のような構造である。
本発明を使用するときは、気密性の高いフタや弁を用いた空気給排気口（３）より空気を入れ、空気層による断熱効果から保温性が得られる。複数設けた円形の円形溶着位置（６）を溶着することにより、膨張をおさえ、着用時に身体の動きにあわせて曲がる為、身体にフィットする構造に成っている。
また、着用時以外は空気給排気口（３）から空気を抜くことが出来る為、コンパクトに折りたため、携帯することが出来る。
【符号の説明】
【０００９】
１シート裏、２シート表、３空気給排気口、４給排気口取付穴、５外周溶着位置、６円形溶着位置、７側面接続用溶着シロ、８スナップボタン
【図１】
2014084550.tif 000003
【図２】
2014084550.tif 000004
【図３】
2014084550.tif 000005
【図４】
2014084550.tif 000006
【手続補正書】
【提出日】平成24年11月11日(2012.11.11)
【手続補正１】
【補正対象書類名】明細書
【補正対象項目名】０００５
【補正方法】変更
【補正の内容】
【０００５】
気密性の高い素材を溶着し、密閉空間をつくり、気密性の高いフタや弁を用いた空気給排気口を設け、空気給排気口より空気を入れて、空気層の断熱効果から保温性を得る。また、使用しない時は、空気給排気口から空気を抜き、折りたたむことが出来る。空気給排気口、衣類として着用する為の付属品を除き、裏側と表側のシートのみの構成になり、充填物は中に入っていない。気密性の高い素材の中に空気を溜め、空気自体の層が断熱層となる。以上の構成よりなる空気給排気式防寒衣類。
【手続補正２】
【補正対象書類名】図面
【補正対象項目名】図２
【補正方法】変更
【補正の内容】
【図２】
2014084550.tif 000007
【手続補正３】
【補正対象書類名】図面
【補正対象項目名】図３
【補正方法】変更
【補正の内容】
【図３】
2014084550.tif 000008
【手続補正４】
【補正対象書類名】図面
【補正対象項目名】図４
【補正方法】変更
【補正の内容】
【図４】
2014084550.tif 000009
【手続補正５】
【補正対象書類名】特許請求の範囲
【補正対象項目名】全文
【補正方法】変更
【補正の内容】
【特許請求の範囲】
【請求項１】
２枚以上の柔軟性のある気密性の高い素材を用いて、溶着により張り合わせ密閉空間をつくり、空気給排気口を設け、使用時に空気を注入することにより、空気層を作る為の充填物を使用しないで、空気層の断熱効果による保温性を利用した、空気給排気式防寒衣類。
【請求項２】
表面に複数の円形の溶着をし、膨張をおさえた、請求項１の空気給排気式防寒衣類。
(57)【要約】【課題】建築として使われていた鉄は建てると少しよっている。【解決手段】まっすぐ建つ鉄だと地球上に対してまっすぐ建つ。【選択図】図１
2014084708.tif 000002
【特許請求の範囲】
【請求項１】
よって建っていた鉄が本発明の場合、地球に対してまっすぐ建つ鉄である。
【発明の詳細な説明】
【技術分野】
【０００１】本発明は建築資材として地球に対してまっすぐ建つ鉄
【背景技術】
【０００２】現在鉄は建てた時多少よって建つようになっている。
【発明の概要】
【発明が解決しようとする課題】
【０００３】今までの建築資材の鉄は多少よって建つようにできていた。
本発明は、以上の問題点を解決するためになされたものである
【課題を解決する為の手段】
【０００４】寄って建つ鉄を地球に対してまっすぐに建つ鉄で建てること。
【発明の効果】
【０００５】地球に対してまっすぐ建つ。
【図面の簡単な説明】
【０００６】
【図１】建築資材に見たてた缶の図である。
【図１】
2014084708.tif 000003
【手続補正書】
【提出日】平成26年1月31日(2014.1.31)
【手続補正１】
【補正対象書類名】明細書
【補正対象項目名】０００１
【補正方法】変更
【補正の内容】
【０００１】本発明は建築資材として地球に対してまっすぐ建つ鉄
自分自身が購入した鉄か
双方合意の上実施料を支払った鉄に関して鉄が変わる。
地球に対して真っすぐ建つ鉄に変わる
地球に対して真っすぐ建つ鉄になる。
契約破棄か廃材になった時点で、元の鉄に戻る。
(57)【要約】【課題】  長い梯子を運び・立て掛ける予備作業に疲労して、高所作業に支障を来たす可能性があり、寄せ掛け接触部分に傷つける可能性もあった。  本発明は、疲労が少なく、安全に高所作業ができる梯子を提供する。【解決手段】  長い梯子上部の、２本支柱の内側双方に、ゴム類で覆った縦に回転するキャスターを取り付け、下部の片側支柱の接地部分より少し上に、横に回転するキャスターを取り付けたことを特徴とする梯子。【選択図】図１
2014084706.tif 000002
【特許請求の範囲】
【請求項１】
２本脚梯子の最上部の、２本の支柱双方の内側に、梯子に面して縦方向に回転するキャスターを取り付けた構造の梯子。
【請求項２】
２本脚梯子の、片方だけの支柱の接地部分より少し上に、梯子に面して横方向に回転するキャスターを取り付けた構造の梯子。
【請求項３】
２本脚梯子の下部に着脱できる幅の広い２本広脚を設備し、２本広脚の片方の接地部分より少し上に、梯子に面して横方向に回転するキャスターを取り付けた構造の梯子。
【発明の詳細な説明】
【技術分野】
【０００１】  本発明は、高所作業に使用する梯子の改良に関する。
【背景技術】
【０００２】  接地部分に平行キャスター４個、立て掛け部分に平行キャスター４個を取り付けた足場を構成し、キャスターで足場を移動して作業できる製品がある。（特許文献２参照）【０００３】  接地部分だけにキャスターを取り付けた足場を構成し、キャスターで足場を移動して作業できる製品がある。（特許文献１参照）【０００４】  一連梯子・二連梯子・三連梯子など２本脚でキャスターのない梯子は、軽いアルミ構造にして、接地部分は幅を広くしない軽量構成にしている。
【先行技術文献】
【特許文献】
【０００５】
【特許文献１】  特開２００７−２５５１７８号公報
【特許文献２】  特開２００１−１８７５７０号公報
【発明の概要】
【発明が解決しようとする課題】
【０００６】  一連梯子、二連梯子、三連梯子など支柱の長い２本脚だけの梯子は、安全に作業するために補助員に支えてもらうよう使用説明がある。
しかし、運搬も作業も一人ですることが多く、疲労して作業の安全性を欠く可能性がある。【０００７】  作業場所に立て掛けて使用する支柱の長い梯子は、立て掛ける時や下ろすときに、寄せ掛け接触部分に傷をつける可能性がある。【０００８】  目的の作業に支障が出ることを防ぐために、長い梯子を運ぶ作業や作業場に立て掛け・下ろすなどの予備の仕事に疲労せず、安全に作業できる構造の梯子が必要である。
本発明は上述の課題を解決するためになされたものである。
【課題を解決するための手段】
【０００９】  ２本脚の長い梯子の、上部の２本支柱双方の内側に、梯子に面して縦方向に回転するキャスターを取り付ける。
また、２本脚の片方の接地部分より少し上に、梯子に面して横方向に回転するキャスターを取り付ける。
以上の構成よりなるキャスター付き梯子。
【発明の効果】
【００１０】  梯子最上部のキャスターで、作業壁面を転がして立て掛けたり下ろしたりすることができる。
また、梯子を地表に傾けると、２本脚の片方の下部キャスターで長い梯子を軽く移動することができるので、疲労をせず安全に作業することができる。
【図面の簡単な説明】
【００１１】
【図１】  本発明の梯子全体の説明図である。
【図２】  本発明の梯子上部のキャスター（６）と凹状の受け軸（３）の説明図である。
【図３】  本発明の梯子下部のキャスター（８）の説明図である。
【図４】  本発明の着脱できる幅の広い広脚の説明図である。
【発明を実施するための形態】
【実施例１】
【００１２】  梯子の多数の踏ざん（２）を支える長い支柱（１）の、上部の２本支柱双方の内側に、車軸（７）で縦方向に回転するゴムで覆ったキャスター（６）を設ける。
また、最上部の踏ざんを、手前に折り曲げゴムで覆った凹状の受け軸（３）にする。
【実施例２】  梯子の多数の踏ざん（２）を支える長い支柱（１）の、下部の片方支柱の接地部分より少し上に車軸（９）で、横方向に回転するキャスター（８）を設ける。
又は、［図４］に示した如く、梯子の本体下部に、片側に横回転キャスター（８）を付けた幅の広い広脚（１０）を設ける。
本発明は以上のような構造である。
本発明を使用するときは、梯子をキャスター（８）で地表を軽く転がして作業場へ移動する。
作業壁面を傷つけずに梯子の上端のキャスター（６）を転がして立て掛け、目的の作業をする。
作業が終わると、また作業壁面にキャスター（６）を転がして梯子を下ろし、梯子をキャスター（８）で地表を軽く転がして移動する。
補助員の支えが無く一人で作業する場合は、幅の広い広脚（１０）を取り付けた安全な構造の梯子を使用するとよい。
【符号の説明】
【００１３】１  梯子の支柱
２  踏ざん
３  凹状の受け軸
４  足ゴム
５  補強金具
６  上部キャスター
７  上部車軸
８  下部キャスター
９  下部車軸
１０  幅の広い広脚
１１  ドーム式ジョイント
１２  広脚の着脱装置
Ｈ  地表
Ｓ  作業者
【図１】
2014084706.tif 000003
【図２】
2014084706.tif 000004
【図３】
2014084706.tif 000005
【図４】
2014084706.tif 000006
(57)【要約】      （修正有）【課題】配線ピットの容量不足を解消でき、床が均一でない場合の高さ調整の容易なシステムフロアを提供する。【解決手段】フロアマット７に支柱土台６を設け、ネジ穴を設けることで支柱ボルト５をねじ込み、レベル調整を行う。差込式連結部８によりフロアマット同士を平らにする。配線ピットの容量が必要な場合にはブロック支柱を継ぎ足し高さを高くする。システムフロアの透明の蓋を通し内部の配線を確認できる。【選択図】図２
2014084705.tif 000002
【特許請求の範囲】
【請求項１】
フロアマットいわゆる樹脂製のブロック支柱の上に梁構造のシステムフロア本体を敷き詰めることによって成り立つシステムフロアであるが、既存メーカーでは足の長さによって規格が分かれている。本発明のシステムフロアでは足をブロック支柱にしたことによって足の長さを自由に調整できる。またフロアベースに支柱を施し施工床によって支柱ボルトを使い分けるが床が均一の場合はネジの無い差込式を使用し、床が均一でない場合はネジコミ式を使用し対応する。またフロアベースはベース同士の連結の際、床が均一でないことを考慮して差込式にした。以上のことを特徴とする樹脂製のシステムフロア。
【発明の詳細な説明】
【技術分野】
【０００１】  本発明はシステムフロアに関するものである。
【背景技術】
【０００２】  システムフロアの部材については、昔はコンクリート製やアルミ製であったが、今ではスチール製や樹脂製のものが主流になった。樹脂製の物は強度と軽量化のため梁構造が主流になり、スチール製のものは大きな耐荷重を必要とする場所に使用されている。樹脂製の場合、システムフロア内部に配線収容部があるものとシステムフロア本体に軸足を設け軸足の長さによって規格化されているが軸足付きではシステムフロアの軸足部が配線収容部になっている。
【先行技術文献】
【特許文献】
【０００３】
【特許文献】実開５−６１３４０号広報、特開平１０−２３８０８４号広報、特開２００３−２１３９１２号広報、特開２００３−２４７３３１号広報、特開２００７−７７７７０号広報、特開２００９−１４４３７８広報、特開２００９−１２７３６２号広報
【発明開示】
【発明が解決しようとする課題】
【０００４】本発明は、樹脂製のシステムフロアの問題点を解消することを目的としたものである。即ち既存のシステムフロアは平面床にシステムフロアを敷き詰めることを目的としたもので平面床以外の場所で使用するのが難しかった。しかも足の長さの違いによって何種類もの規格品を作らなければならなかった。
【課題を解決するための手段】
【０００５】本発明は、上記従来技術の有する欠点を解消しつつ上記各種要請に応えることができる新規な技術を提供することを目的としたものである。
即ち、本発明によって得られる効果は従来の考え方では耐荷重を重視しないものや配線ピットの容量が少なくても差し支えない場合には樹脂製のシステムフロアで対応し、耐荷重ならびに配線ピットの容量が必要なものにはスチール製のシステムフロアを使用していたが重量があり値段も高かった。しかも金属のボルト支柱に金具を取り付けその上にスチール製のシステムフロアを敷き詰めるものである。本発明の樹脂製のシステムフロアではフロアマットに支柱土台を予め設け支柱土台の中心にネジ部を設けることにより支柱ボルトをねじ込むことでレベル調整を行う。ピット容量が必要な場合はブロック支柱を継ぎ足すことで自由に高さが調整できる。フロアマットは床が均一でない時のために連結部分を差込式にした。システムフロア本体を本発明では蓋と捉えており蓋の一部は透明になっており内部の配線が確認できる。
【発明の効果】
【０００６】  本発明によれば、仕様を高める効果と製造コストを削減するための工夫を施したシステムフロアであるが、既存の樹脂製のシステムフロアと違う点は、フロアマットを差込式の連結できることとフロアマット自体に支柱土台を設けその中心を円錐状にくり抜きネジ山を作ったことで支柱ボルトをねじ込むことでフロアマットのレベル調整ができる。既存品では足の長さで規格が分かれていたが本発明では足をブロック式にしたことで何種類も作る必要がない。しかも本発明ではシステムフロア本体を蓋と捉えているので施工での設備事故も起こらない。
【発明を実施するための最良の形態】
【０００７】  次に、本発明の実施例を図面を参照しつつ説明する。
【実施例】
【０００８】  図１に示すように、本発明のシステムフロアでは、ブロック支柱を継ぎ足すことにより足の長さを調節しその上にシステムフロア本体を敷き詰める。そして接続リングにより接続を確実にする。【０００９】  図２に示すように、フロアマット自身に設けた支柱土台に支柱ボルトをねじ込むことでレベルを調整し、フロアマットの差込式連結部を差し込むことでフロアマット同士が連結されフロアマットのレベルが揃う。
【図面の簡単な説明】
【００１０】
【図１】図１は、本発明の実施例を示すシステムフロア本体とブロック支柱ならびに透明蓋の平面図と立面図ならびに側面図である。
【図２】図２は、本発明の実施例を示すフロアマットと支柱土台ならびに支柱ボルトの平面図ならびに立面図である。１‥‥システムフロア本体  ２‥‥透明蓋  ３‥‥ブロック支柱  ４‥‥接続リング  ５‥‥支柱ボルト  ６‥‥支柱土台  ７‥‥フロアマット  ８‥‥差込式連結部
【図１】
2014084705.tif 000003
【図２】
2014084705.tif 000004
(57)【要約】      （修正有）【課題】上皮成長因子受容体（ＥＧＦＲ）に結合して、ＥＧＦＲの働きを阻害するモノクローナル抗体（セツキシマブ、Ｃｅｔｕｘｉｍａｂ）のような抗悪性腫瘍剤に伴う爪周囲炎に対する抗炎症剤の提供。【解決手段】ウイキョウ（茴香：Foeniculum vulgare）から得られた蜂蜜（薬蜜）を含む抗炎症剤。【選択図】なし【特許請求の範囲】
【請求項１】
ウイキョウ蜂蜜を含む、抗悪性腫瘍剤に伴う爪周囲炎に対する抗炎症剤。
【請求項２】
抗悪性腫瘍剤が、セツキシマブである、請求項１に記載の抗炎症剤。
【発明の詳細な説明】
【技術分野】
【０００１】
本発明は、抗悪性腫瘍剤に伴う爪周囲炎に対する抗炎症剤に関する。
【背景技術】
【０００２】
セツキシマブ（Ｃｅｔｕｘｉｍａｂ）は、上皮成長因子受容体（ＥＧＦＲ）に結合して、ＥＧＦＲの働きを阻害するモノクローナル抗体である。抗がん剤として使用され、癌の増殖などに関係する特定の分子を狙い撃ちする分子標的治療薬のひとつである。
【０００３】
セツキシマブはＩｇＧ１に属するヒト・マウスキメラ化モノクローナル抗体であり、点滴静注で使用される。商品名はアービタックス（登録商標）である。
【０００４】
日本ではＥＧＦＲ陽性の治癒切除不能な進行・再発の結腸・直腸癌の治療薬として製造販売承認を受けている。
【０００５】
セツキシマブは、細胞表面に存在するＥＧＦＲのリガンド結合部位に、ＥＧＦの５倍の親和性を持ってＥＧＦと競合的に結合し、ＥＧＦＲの活性化、二量体化を阻害する。また細胞表面にあるＥＧＦＲを細胞内へ内在化させる。これらの結果、ＥＧＦＲからのシグナル伝達が遮断され、癌細胞は増殖できずアポトーシスに陥る。また、セツキシマブはＩｇＧ１に属する抗体であるため、抗体依存性細胞障害（ＡＤＣＣ）が抗腫瘍効果に関与している可能性もある。
【０００６】
セツキシマブの重大な副作用として、重度の皮膚症状、主にざ瘡様皮疹、皮膚の乾燥及び亀裂、続発する炎症性及び感染性の症状が報告されている。中でも、爪周囲炎は、痛みが激しく、また、従来の抗生物質やステロイド剤では、治療が困難であるという問題があった。
【０００７】
蜂蜜は、古来、生薬、滋養強壮薬として知られ、日本薬局方にも収載されている。また、近年、ヘリコバクター・ピロリの除菌作用も報告されている（特許文献１）。
【先行技術文献】
【特許文献】
【０００８】
【特許文献１】国際公開第２００８／１３３０９８号パンフレット
【発明の概要】
【発明が解決しようとする課題】
【０００９】
本発明は、抗悪性腫瘍剤に伴う爪周囲炎に対する抗炎症剤を提供する。
【課題を解決するための手段】
【００１０】
本発明者らは、ウイキョウ蜂蜜が、抗悪性腫瘍剤に伴う爪周囲炎に対する抗炎症作用を有することを見出し、本発明を完成させた。
【００１１】
すなわち、本発明は、下記：
［１］ウイキョウ蜂蜜を含む、抗悪性腫瘍剤に伴う爪周囲炎に対する抗炎症剤、
［２］抗悪性腫瘍剤が、セツキシマブである、［１］に記載の抗炎症剤、
に関する。
【００１２】
本発明において、抗悪性腫瘍剤とは、抗ヒトＥＧＦＲモノクローナル抗体であり、好ましくは、セツキシマブ（アービタックス（登録商標））である。
【００１３】
本発明において、蜂蜜は、ウイキョウ（茴香：Foeniculum vulgare）から得られたものである。好ましくは、山口喜久二自然養蜂方式（http://www.jrj.co.jp/natural_rj/ naturalrj.html）によって作られたウイキョウ単一種完熟蜂蜜である。
【００１４】
本発明の抗炎症剤は、その剤型、用法等が特に制限されるものではなく、例えば、ローション剤、クリーム剤、ゲル剤、軟膏等の皮膚用製剤等の医薬品又は医薬部外品など、各種剤型とすることができる。
【００１５】
本発明の抗炎症剤における蜂蜜の配合量は、特に制限されるものではなく、蜂蜜の種類、剤型などによって、適宜選定することができ、通常、組成物全体に対して０．０１〜５０ｗ／ｗ％、好ましくは、１〜２０ｗ／ｗ％である。
【００１６】
本発明の抗炎症剤は、本発明の効果を妨げない限り、緩衝剤、溶解補助剤、等張化剤、安定化剤、粘稠剤、キレート剤、ｐＨ調整剤、清涼化剤等の各種の添加剤を通常使用量において配合することができる。
【発明の効果】
【００１７】
本発明の抗炎症剤は、抗悪性腫瘍剤に伴う爪周囲炎に対する処置に有用である
【実施例】
【００１８】
処方例
１．ステアリン酸                          ５．０％
２．ベヘニルアルコール                    ５．０％
３．パルミチン酸イソプロピル              ４．０％
４．自己乳化型モノステアリン酸グリセリル  ５．０％
５．１，３−ブチレングリコール            ３．０％
６．濃グリセリン                          ３．０％
７．防腐剤                                適量
８．ウイキョウハチミツ                  １５．０％
９．ローヤルゼリーエキス                  ０．１％
１０．水                                  残量
【００１９】
アービタックスに伴う爪周囲炎に対する本発明の軟膏の効果を検討した。本発明の軟膏を１日４〜５回患部に塗布した。塗布前には、痛みが（＋＋＋）であったところ、塗布１日目には、（＋＋）に、塗布３日目には、（＋）に、塗布５日目には、（−）となった。塗布１１日目には、ほぼ完治となり、塗布１１日目には、ほぼ完治となった。
【００２０】
同様な使用試験により、他の市販蜂蜜について検討したところ、抗炎症効果を示したものは見出せなかった。
【産業上の利用可能性】
【００２１】
本発明の抗炎症剤は、抗悪性腫瘍剤に伴う爪周囲炎に対する処置に有用である。
(57)【要約】      （修正有）【課題】粘着テープロール体に於いて、使用済み部分を簡便に除去する。【解決手段】粘着テープロール体１−１全体に切り込みを入れず、粘着テープロール体の非粘着部１−２の端の一部を残し、粘着テープロール体に切り込み１−３を入れる事により、非粘着部の一部が、ロール体より浮き上がり２−１、除去部分の剥離が容易になる。【選択図】図１
2014084457.tif 000002
【特許請求の範囲】
【請求項１】
粘着テープロール体全体に切り込みを入れず、粘着テープロール体の非粘着部の端の一部を残し、粘着テープロール体に切り込みを入れる。
【発明の詳細な説明】
【技術分野】
【０００１】  粘着テープロール体に於いて、使用済み部分を簡便に除去する技術に関する。
【背景技術】
【０００２】  従来の粘着テープロール掃除具は、使用済み部分を除去する場合に於いて、除去が困難であった。
【発明の開示】
【発明が解決しようとする課題】
【０００３】  テープの使用済部分（除去部分）が判別しにくい為、一度に数枚が除去さる。【０００４】
【課題を解決するための手段】
【０００５】  テープの除去部分の端を浮き上がらせ、それを引く事により、簡単にテープの除去部分のみを除去する。
【発明の効果】
【０００６】  粘着テープロール掃除具の、除去部分を簡便確実に除去する。
【発明を実施するための最良の形態】
【０００７】  実施例に同じ
【実施例】
【０００８】  粘着テープロール体全体に切り込みを入れず、粘着テープロール体の非粘着部の端の一部を残し、粘着テープロール体に切り込み入れる。【０００９】  非粘着部分（以下端部と記す）の切り込みは、剥離方向に向かって切り込みを入れる
【図面の簡単な説明】
【００１０】
【図１】  粘着テープロール体全体を示す。
【図２】  粘着テープロール体の側面を示す。
【符号の説明】
【００１１】１−１  粘着テープロール体
１−２  非粘着部
１−３  非粘着部の切り込み
１−４  非切り込み部
２−１  非粘着部の浮き上がり
【図１】
2014084457.tif 000003
【図２】
2014084457.tif 000004
(57)【要約】【課題】  基材層、接着層、接合層とから成る積層体が単一工程生産（成膜）が出来、得られた積層体は絶縁用フィルムとしての実用性能を特に高温使用時の耐性を備えていること。【解決手段】生産工程が一工程のみの「同時積層共押出成膜法」により、以下「層構成」の積層体とすること。‐基材層には、ポリブチレンテレフタレート（ＰＢＴ）を位置させ、基材層として‐接着層には、接着性ポリオレフィン（ＡＰＯ）を位置させ、接着層として‐接合層には、ポリオレフィン系変性樹脂（ＭＰＯ）を位置させ、接合層として配置する。【選択図】  なし【特許請求の範囲】
【請求項１】
同時積層の共押出成膜法にて得られ、以下記載の基材層（Ａ）、接着層（Ｂ）と接合層（Ｃ）とを含む積層体から成り、
‐基材層（Ａ）は熱可塑性ポリエステル系樹脂のポリブチレンテレフタレート（ＰＢＴ）を位置させ基材層とし
‐接合層（Ｃ）はポリオレフィン系変性樹脂（ＭＰＯ）を外端部に位置させ最外層とし
‐接着層（Ｂ）は基材層（Ａ）と接合層（Ｃ）との中間位に接着性ポリオレフィン（ＡＰＯ）を介在させ接着層とした下記積層構成の接着性フィルム。
：〔Ｃ／Ｂ／Ａ／Ｂ／Ｃ〕
【請求項２】
請求項１と同様の熱可塑性樹脂を使用し、積層体は基材層（Ａ）、接着層（Ｂ）と接合層（Ｃ）とから構成される以下のもの。
：〔Ａ／Ｂ／Ｃ〕
【発明の詳細な説明】
【技術分野】
【０００１】
リチウムイオン電池等の電池タブリード用接着性フィルムで、高温加熱使用時の変形が少なく、また優れた耐電解液性等の品質も併せ求められる機能性フィルム。
【背景技術】
【０００２】
リチウムイオン電池やポリマー電池等に用いられる被覆包装材（絶縁用接着性フィルム）の生産は、ラミネートフィルム法により大半が得られている。
例えば、下記の特許文献等にその方法が開示されている。
しかし、これらラミネートフィルム法はいずれも中間基材層の高耐熱性フィルムの確保が最重要課題となっている関係で生産工程は複雑となっている。
ラミネートフィルム法は最終の製品化までに複数の生産工程を経るために「原材料や時間のロス或は労力の浪費」が多発し、結果として高コストの生産となっている。
【先行技術文献】
【特許文献】
【０００３】
特許文献１  特開２００１−１０２０１６号公報
特許文献２  特開２００２−２１６７２０号公報
特許文献３  特開２００３−    ７２６８号公報
特許文献４  特開２００５−１１６２７０号公報
【発明の概要】
【発明が解決しようとする課題】
【０００４】
在来の絶縁用接着性フィルムは上記「背景技術」の通り複数の生産工程を経て製品化されるので、不要な原材料や無駄な労力並びに時間が費やされたりしている。
従って、本発明が解決しようとする課題は生産時の不要な原材料の使用、無駄な労力並びに時間の浪費を出来るだけ低減すること、即ち、製品（絶縁用接着性フィルム）の生産工程を「複数から単一」にすること。
また、単一の生産工程に適した高耐熱性の熱可塑性樹脂を選定すること。
【課題を解決するための手段】
【０００５】
絶縁用接着性フィルムの基本構成は〔基材層／接着層／接合層〕である。
この積層構成を「単一」で実現するためには、以下記載の発明要旨「同時積層共押出成膜法」が最適である。
本発明の要旨は下記の基材層（Ａ）、接着層（Ｂ）、接合層（Ｃ）を含む積層体から成り、基材層（Ａ）にはポリブチレンテレフタレート（ＰＢＴ）を位置させ、接着層（Ｂ）には接着性ポリオレフィン（ＡＰＯ）を、上記の基材層（Ａ）と接合層（Ｃ）との中間位に位置させた多層積層体で、この積層体はＴダイ又はインフレ丸ダイ共押出成膜法の単一工程にて直接得られることを特徴とする。
（Ａ）：熱可塑性ポリエステル系樹脂のポリブチレンテレフタレート（ＰＢＴ）
（Ｂ）：接着性ポリオレフィン（ＡＰＯ）
（Ｃ）：ポリオレフィン系変性樹脂（ＭＰＯ）
積層構成：本発明の積層体は基材層（Ａ）、接着層（Ｂ）、接合層（Ｃ）から構成されるが、本発明の積層体は以下の５層、或は３層に限定されるものではなく、それ以外の多層構成であってもよい。
５層（例）〔Ｃ／Ｂ／Ａ／Ｂ／Ｃ〕
３層（例）〔Ｃ／Ａ／Ｃ〕
【発明の効果】
【０００６】
本発明の接着性フィルムは同時積層（単一工程）の共押出成膜法により生産されるので、在来のラミネートフィルム法で見られた生産時の「原材料や労力、時間等」のロスや無駄は大幅に低減され、しかも優れた耐熱性や耐電解液性等の品質をも併せ持つ最適な接着性フィルムが得られることが確認された。
【発明を実施するための形態】
【０００７】
本発明の耐熱性に優れた接着性フィルムは、以下記載の基材層（Ａ）と接着層（Ｂ）と
接合層（Ｃ）とを含む積層体から成り、
‐基材層（Ａ）には熱可塑性ポリエステル系樹脂のポリブチレンテレフタレート（ＰＢＴ）を位置させ
‐接合層（Ｃ）にはポリオレフィン系変性樹脂（ＭＰＯ）を外端部に位置させ
‐接着層（Ｂ）には接着性ポリオレフィン（ＡＰＯ）を上記の基材層（Ａ）と接合層（Ｃ）との中間位に介在させた多層積層体で、この積層体は同時積層の共押出成膜法の単一工程で直接得られることを特徴とする。
（Ａ）：熱可塑性ポリエステル系樹脂のポリブチレンテレフタレート（ＰＢＴ）
（Ｂ）：接着性ポリオレフィン（ＡＰＯ）
（Ｃ）：ポリオレフィン系変性樹脂（ＭＰＯ）
以下、本発明を詳細に説明するが、本発明その要旨を超えない限り以下の実施例に限定されるものでない。
【実施例１】
【０００８】
Ｔダイ共押出成膜法により、表１構成の５層積層体を得た。
得られた積層体の「接着強度、耐熱性、耐電解液性」試験結果は表２、表３に示す。
表２、表３から分かる様に本実施例１の「５層積層体」は、絶縁用接着性フィルムとしての必要不可欠の品質を十分に具備していることが分かる。
【０００９】
【表１】
2014084409.tif 000002
【００１０】
【表２】
2014084409.tif 000003
【実施例２】
【００１１】
実施例１と同じ方法で３層積層体（Å／Ｂ／Ｃ）を得た。
同積層体の品質試験結果は表３に示す。
「比較例１」
【００１２】
基材層用の原料樹脂に「核剤入りのポリプロピレン」を使用し、実施例２と同じ方法で３層積層体（Ａ／Ｂ／Ｃ）を得た。
同積層体の品質試験結果は表３に示すが、「耐熱性」に不良が見られる。
「比較例２」
【００１３】
基材層間の原料樹脂に「タルク入りのポリプロピレン」を接合層用の原料樹脂にポリエステル系接着性樹脂（ＰＥＳ）を使用し、実施例２と同じ方法で３層積層体を得た。
同積層体の品質試験結果は表３に示すが、「耐熱性、耐電解液性、層間の剥離性」に不良が見られる。
「比較例３」
【００１４】
接着層用の原料樹脂にポリオレフィン系変性樹脂（ＭＰＯ）を使用し、実施例２と同じ方法で３層積層体を得た。同積層体の品質試験結果を表３に示すが、「Ａ／Ｂ層間の剥離性」に不良が見られる。
【表３】
2014084409.tif 000004
(57)【要約】      （修正有）【課題】建築物の壁面に使用される樹脂サイディングボード・金属サイディングボード・窯業サイディングボードの凹凸を利用し天然石の模様を重みのある質感と美観で得る塗装工法を提供する。【解決手段】７工程入れることにより、質感を天然石の模様のような重みのある質感をだす。【選択図】図７
2014214596.tif 000002
【特許請求の範囲】
【請求項１】
サイディングボードの壁面を施工するに際して、
第１工程としてサイディングボードに合成樹脂を主成分とするシーラーを塗布して乾燥した面にすること、
第２工程としてサイディングボードを単色で全域に刷毛、ローラーもしくはエアレススプレーを用い塗布すること、
第３工程としてサイディングボードの目地部分にのみ刷毛を用い目地材を塗布すること、
第４工程としてサイディングボードの凹凸の凸部分にのみ第２工程で使用した色とまったく異なる色をローラーで塗布すること、
第５工程として、サイディングボードの目地と同色の塗料を全域にスプレーガンを用い全域にまばらに吹付けること、
第６工程として、サイディングボードの石模様の１枚１枚に刷毛を用い塗装すること、
第７工程としてつや消しクリアを塗装すること、
以上７工程の結合を特徴とする天然石の模様のような美観が得られる塗装方法。
本発明は天然石の模様のような美観が得られる壁面への塗装をするに際して、第１工程として、サイディングボードに合成樹脂を主成分とするシーラーを塗布して乾燥した面にすること、
第２工程として、合成樹脂エマルジョンをサイディングボードに単色で全域に刷毛、ローラーもしくはエアレススプレーを用い塗布して乾燥した面にすること、
第３工程としてサイディングボードの目地部分にのみ刷毛を用い目地材を塗布して乾燥した面にすること、
第４工程としてサイディングボードの凹凸の凸部分にのみ第２工程で使用した色とまったく異なる色を短毛ローラーで塗布して乾燥した面にすること、
第５工程として、サイディングボードの目地と同色の塗料を全域にスプレーガンを用い全域にまばらに吹付け乾燥した面にすること、
第６工程として、サイディングボードの石模様の１枚１枚に刷毛を用い合成樹脂エマルジョンを塗装し乾燥した面にすること、
第７工程としてサイディングボードにつや消しクリア塗料を塗装すること、以上７工程の結合を特徴とする天然石の模様のような美観が得られる塗装方法に関するものである。
第１工程から第４工程まで及び第７工程は従来の塗装方法と同様であるが、第５工程、第６工程に特長がある。
以下、更に説明すると第１工程のシーラー塗装工程では、サイディングボードへの塗料の密着性の向上のために行うもので、シーラーを構成する合成樹脂としては、耐水性の合成樹脂が適しており、アクリル酸、アクリル酸エステル類、メタクリル酸、メタクリル酸エステル類、スチレン類、ビニルエステル類、ビニルエーテル類、塩化ビニル、塩化ビニリデンなどの重合体ないしは共重合体、エチレン、プロピレン、ブタジエンなど共重合可能な単量体の共重合体、エポキシ系化合物、ウレタン系化合物、アルキッド樹脂類など耐水性の合成樹脂の溶液またはエマルジョン系のシーラー塗料で、必要に応じて、着色顔料、充填材などが適宜混合される。
第２工程から第６工程に使用される塗料はアクリル系樹脂のエマルジョンタイプが作業性及び性能の点より最適である。
各工程での塗布作業による施工方法としては、第１工程から第４工程及び第６工程はエアまたはエアレススプレーによる吹付けや刷毛、ローラー塗布が適している。
第５工程は、エアでの吹付けが適している。第６工程の塗装方法は刷毛での塗布が適している。塗布量としては全行程において０．１〜０．２ｋｇ／ｍ２が適している。尚、第６工程の塗料は本来の希釈率よりも２〜３倍多めに希釈し、顔料を少なくし第５工程の美観が消えてしまわないようにする必要がある。
【発明の詳細な説明】
【技術分野】
【０００１】本発明は、建築物の壁面に使用される樹脂サイディングボード・金属サイディングボード・窯業サイディングボードの凹凸を利用し天然石の模様を重みのある質感と美観で得ることができる塗装工法に関する。
【背景技術】
【０００２】現在、一般的なサイディングボードの塗装の方法としては単色の塗装もしくは、新築時のサイディングボードの模様を生かしたクリア塗装がポピュラーな塗装となっており、石模様を形成しようとすると、天然石をそのまま壁面や柱面に使用するか、薄い板状にして壁面や柱面に貼り付ける方法がよく用いられる。
【発明の概要】
【発明が解決しようとする課題】
【０００３】しかし、従来の塗装方法ではサイディングボードの石模様一枚一枚に石本来の重みや質感が得られるまでには至っていない。また、天然石の使用や薄い板状を使用する場合、コストがかかってしまう。さらに、天然石を使用すると建物の耐震問題が発生し、サイディングボードを新規に張り替える場合は廃棄物が大量に発生する。
【課題を解決するための手段】
【０００４】そこで、天然石の模様のような質感と重みを得るような塗装で施工する。
【発明の効果】
【０００５】塗装で天然石のような美観や重みが得られ、コストも従来の天然石や薄い板状のものを使用する場合よりもかなり抑えられる。さらに、塗装で行なうことにより、建物の壁に重量が多大に増す心配もなく壁への負担がない。
【図面の簡単な説明】
【０００６】
【図１】第１工程の断面図になります
【図２】第２工程の断面図になります
【図３】第３工程の断面図になります
【図４】第４工程の断面図になります
【図５】第５工程の断面図になります
【図６】第６工程の断面図になります
【図７】第７工程の断面図になります
【図１】
2014214596.tif 000003
【図２】
2014214596.tif 000004
【図３】
2014214596.tif 000005
【図４】
2014214596.tif 000006
【図５】
2014214596.tif 000007
【図６】
2014214596.tif 000008
【図７】
2014214596.tif 000009